(57)【要約】【課題】高さ調整を簡単にかつ確実に行うことができることは勿論のこと、特に、天板が什器本体から脱落するおそれがない付設天板の高さ調整装置高さ調整を得ることにある。【解決手段】什器本体２０の上面とその上方に配設した付設天板３０と下面との対向面間に配設された付設天板の高さ調整をするためのもので、操作軸４１，１４１および固定筒４５，,４５’１４５を備えている。固定筒は、什器本体あるいは付設天板に固定されかつ雌ねじ４６，１４６を形成され、操作軸は、付設天板あるいは什器本体に回転可能に支持されかつ雄ねじ４２，１４２を形成され、端部を固定筒から突出させて雄ねじを雌ねじに螺合され、端部に抜け止め部材５１，１５１を取り付けられている。操作軸を回転することで、付設天板を昇降させ、抜け止め部材によって付設天板昇降高さを規制する。【選択図】図３
2008237320.tif 000002
【特許請求の範囲】
【請求項１】
什器本体の上面とその上方に配設した付設天板下面との対向面間に配設された付設天板の高さ調整装置であって、この装置は、付設天板下面に回転可能に垂下支持された下部に雄ねじを有する操作軸と、什器本体の上面に立設固定された前記雄ねじに螺合する雌ねじを有する固定筒とを備え、
前記操作筒は、下端を前記固定筒の下端から突出させて固定筒からの抜け止め部材を当該操作軸の下端部に具備しており、この操作軸を回転することによって前記付設天板を昇降させ、前記抜け止め部材によってこの付設天板上昇高さを規制するようにしたことを特徴とする付設天板の高さ調整装置。
【請求項２】
什器本体の上面とその上方に配設した付設天板下面との対向面間に配設された付設天板の高さ調整装置であって、この装置は、付設天板下面に垂下固定されて下部に雌ねじを有する固定筒と、什器本体の上面に回転可能に立設された上部に前記雌ねじに螺合する雄ねじを有する操作筒とを備え、
前記操作軸は、上端に固定筒からの抜け止め部材を具備すると共に、当該固定筒は、内部の上方に前記抜け止め部材の受止め部を具備しており、この操作軸を回転することによって前記付設天板を昇降させ、前記抜け止め部材とその受止め部によってこの付設天板の上昇高さを規制するようにしたことを特徴とする付設天板の高さ調整装置。
【請求項３】
操作軸は、その下半分、又は、上半分に雄ねじを含み、固定筒に挿入される小径部を具備し、該小径部より上方、又は、下方は、固定筒の外径と同径に形成した請求項１又は２の付設天板の高さ調整装置。
【発明の詳細な説明】
【技術分野】
【０００１】
本発明は、付設天板の高さ調整装置に係わり、詳しくは、什器本体の上面とその上方に付設した付設天板下面との対向面間に配置される当該付設天板の高さを調節するための装置に関する。
【背景技術】
【０００２】
この種の装置としては、例えば、什器本体の上面に付設する天板の下面の少なくとも四隅部に下向きに突設され、その下部が雄ねじ部に形成されている調整軸と、上部が前記調整軸を挿通できる操作筒部に形成され、かつ、下部に、前記雄ねじ部を螺合できる雌ねじ筒であって、該雌ねじ筒が什器本体の下面に設けた支持孔に回動自在に嵌合されて支持される雌ねじ筒とからなる筒状アジャスタを備えたものがある。この高さ調整装置は、調整軸の雄ねじ部が外部に露出するのを雌ねじ筒で防ぐとともに、雄ねじ部が雌ねじ筒から外れても、什器本体と付設天板とが分離しないようにしたものである。（特許文献１を参照）。
【０００３】
しかしながら、この高さ調整装置は、操作筒部を手で掴んで回すことで付設天板を昇降させているため、操作筒部を長くしないと、十分な調整代（調整高さ）を確保することができず、また、手で掴む場所が判り難いという問題がある。また、操作筒部は付設天板の脱落を止めているが、これは付設天板に垂設した調整軸が操作筒部に単に嵌っていることによって抜け出しを阻止しているだけであり、しかも支持している付設天板はそれなりの重量があるため、付設天板を一杯に上げたときに、僅かな外力によって、当該付設天板が調整軸と一緒に什器本体から簡単に脱落してしまい、調整操作中、負傷事故や周囲の器物の破損などが生じるおそれもある。
【特許文献１】特開２００６−１３６４２０号公報
【発明の開示】
【発明が解決しようとする課題】
【０００４】
本発明は、上記のような付設天板の高さ調整装置の問題点に鑑み、高さ調整を簡単にかつ確実に行うことができることは勿論のこと、特に、付設天板が什器本体から脱落するおそれがない付設天板の高さ調整装置を提供することを、その課題とする。
【課題を解決するための手段】
【０００５】
上記課題を解決することを目的としてなされた本発明付設天板の高さ調整装置の構成は、什器本体の上面とその上方に配設した付設天板下面との対向面間に配設された付設天板の高さ調整装置であって、この装置は、付設天板下面に回転可能に垂下支持された下部に雄ねじを有する操作軸と、什器本体の上面に立設固定された前記雄ねじに螺合する雌ねじを有する固定筒とを備え、前記操作筒は、下端を前記固定筒の下端から突出させて固定筒からの抜け止め部材を当該操作軸の下端部に具備しており、この操作軸を回転することによって前記付設天板を昇降させ、前記抜け止め部材によってこの付設天板上昇高さを規制するようにしたことを特徴とするものである。
【０００６】
また、上記課題を解決することを目的としてなされた本発明付設天板の高さ調整装置の構成は、什器本体の上面とその上方に配設した付設天板下面との対向面間に配設された付設天板の高さ調整装置であって、この装置は、付設天板下面に垂下固定されて下部に雌ねじを有する固定筒と、什器本体の上面に回転可能に立設された上部に前記雌ねじに螺合する雄ねじを有する操作筒とを備え、前記操作軸は、上端に固定筒からの抜け止め部材を具備すると共に、当該固定筒は、内部の上方に前記抜け止め部材の受止め部を具備しており、この操作軸を回転することによって前記付設天板を昇降させ、前記抜け止め部材とその受止め部によってこの付設天板の上昇高さを規制するようにしたことを特徴とするものである。
【発明の効果】
【０００７】
本発明付設天板の高さ調整装置は、一例として、付設天板下面に回転可能に垂下支持された下部に雄ねじを有する操作軸と、什器本体の上面に立設固定された前記雄ねじに螺合する雌ねじを有する固定筒とを備え、前記操作筒は、下端を前記固定筒の下端から突出させて固定筒からの抜け止め部材を当該操作軸の下端部に具備しており、操作軸を回転することによって、付設天板の高さを変更することができるので、高さ調整部材（操作軸の操作部）を手探りでも確実に把握することができ、付設天板の高さ調整を簡単にかつ確実に行うことができる。このとき、付設天板を最高上昇位置まで上昇させても、操作軸の抜け止め部材が固定筒からの抜け出しを阻止するので、付設天板が什器本体から脱落することはなく、安全に付設天板の高さ調整作業を行うことができる。
【発明を実施するための最良の形態】
【０００８】
以下、図を参照し、本発明付設天板の高さ調整装置の実施形態を説明する。添付図において、図１は本発明付設天板の高さ調整装置を備える什器の斜視図、図２は本発明付設天板の高さ調整装置の一実施形態を示す縦断面図、図３は図２に示す本発明付設天板の高さ調整装置の分解斜視図、図４は図２および図３に示す本発明付設天板の高さ調整装置の作動状態を示す縦断面図、図５は本発明付設天板の高さ調整装置の他の実施形態を示す縦断面図、図６は図５に示す本発明付設天板の高さ調整装置の作動状態を示す縦断面図、図７は本発明付設天板の高さ調整装置のさらに他の実施形態を示す縦断面図である。
【０００９】
図１は本発明による付設天板の高さ調整装置１０を備える什器を示している。この什器は、パーソナルコンピュータなどを設置するためデスクサイドに配置するサイドキャビネットで、デスクの左側あるいは右側に配置される。サイドキャビネット自体は什器本体２０と什器本体上で昇降する付設天板３０（以下、単に天板３０という）とを備えている。
【００１０】
什器本体２０は、筐体２１を備えている。筐体２１は、一例として鋼板を曲げ加工し、溶接組立したもので、前面が開放された箱状の形態を有している。筐体内部には、仕切り棚２２が配置されている。仕切り棚２２は、可動のもので、例えば、筐体側壁に上下に設けたスリット２３に取り付けた支持具に担持されている。スリット２３の位置を変えて、取付具を移動することにより、仕切り間隔を変更することができる。
【００１１】
天板３０は、例えば合板の上下面に硬質合成樹脂薄板を積層したもので、本発明による付設天板の高さ調整装置１０を介して什器本体２０に設置されている。天板長Ｌは什器本体２０の上面のほぼ１／２となっているが、その長さは１／２Ｌ以上、あるいは１／２Ｌ以下であってもよい。図１の例では、デスク天板２４には、片方の端部付近に二個の取付孔２５が，反対側端部付近に二個の取付孔２６が、そして、これらの取付孔２５，２６の中間付近に二個の取付孔２７が設けられている。この什器をデスク（図示せず）の左側に配置して使用するときには、什器本体２０の左側半分をデスク天板２４の下に入れる。この使用態様においては、取付孔２５，２７に本発明による付設天板の高さ調整装置１０を組み付け、天板３０をこれらの付設天板の高さ調整装置１０によって什器本体２０の上面に支持させる。また、この什器をデスクの右側に配置するときには、仕切り棚２２の見える側を前にし、右側半分をデスク天板２４の下に配置し、左端にある取付孔２５および中間にある取付孔２６，２７に本発明による付設天板の高さ調整装置１０を組み付け、天板３０を各付設天板の高さ調整装置１０によって什器本体２０に支持させる。
【００１２】
本発明付設天板の高さ調整装置１０の一例は、図２および図４に示すように、天板アジャスタとして操作する操作軸４１および固定筒４５を備えている。
【００１３】
操作軸４１は、下方が細く、上方が太い径を付与した軸部材で形成されており、細い下方に雄ねじ４２が形成されている。この操作軸４１は、天板３０の下面に回転可能に垂下支持されている。すなわち、操作軸４１の上端に形成した細い軸端部４３は、天板３０の天板本体３１の下面に積層された補強板３２を貫通し、天板本体３１の下面にある穴３３に挿入されている。軸端部４３の環状溝には、合成樹脂の座金状の滑り輪４４が嵌め込まれている。操作軸４１は、滑り輪４４によって、天板３０に回転可能に取り付けられていると共に、雄ねじ４２が什器本体２０の天板上面に取り付けた固定筒４５にねじ込まれている。
【００１４】
固定筒４５は什器本体２０の上面に回転可能に立設されている。固定筒自体４５は、中空筒体で形成されており、下方に雌ねじ４６が形成されている。固定筒４５の下端は、細くなっており、周面に平行溝４７を形成されている。他方、什器本体２０の上面には、取付孔２５〜２７に対応して、例えば取付孔２７の真下に位置して、Ｌ字形の取付具４８を配置されている。取付具４８は、水平片に開口４９を設けてあり、取付孔２７に一致させて、垂直片を什器本体２０を構成する縦部材２８に固定されている。固定筒４５は、下端側を什器本体２０の取付孔２７を通って什器本体２０の内部に挿入され、取付具４８の入り口を押し開いて開口４９の内部に入れると共に、平行溝４７を開口４９に嵌め込むことで、回転を阻止された状態で什器本体２０に固定されている。
【００１５】
操作軸４１は、雄ねじ４２が固定筒４５の雌ねじ４６にねじ込まれ、什器本体２０に支持されている。抜け止め部材５１としては、例えば、袋ナットが、雄ねじ４２における取付具４８から突出する端部にねじ込まれている。
【００１６】
この什器は、図１に示すように、天板３０の無い端部をデスク天板の下方に押し込むことで、デスクと直角に配置される。そのあと、本発明による付設天板の高さ調整装置１０によって、天板３０とデスク天板とを面一にする。すなわち、操作軸４１の操作部４１Ａを手で掴んでこの軸４１を正方向又は逆方向に回転させることにより、図４に示すように、雄ねじ４２および雌ねじ４６の作用によって操作軸４１を上下させ、天板３０がデスク天板２４と同一平面になったところで、操作軸４１の回転を止める。
【００１７】
このとき、操作軸４１が長く、しかも固定筒４５は回転しないので、操作軸４１を手探りで簡単に見つけることができる。そして、操作軸４１の上昇しても、袋ナットからなる抜け止め部材５１によって上昇を規制されるので、天板３０が什器本体２０から外れず安全である。
【００１８】
以上説明した本発明付設天板の高さ調整装置では、抜け止め部材５１が什器本体２０からの天板３０の外れを規制しており、固定筒４５の雌ねじ４６の上方にある筒部４５Ａが操作軸４１の雄ねじ４２を外部から隠しているだけであるため、固定筒４５の筒部４５Ａを省略して、付設天板の高さ調整装置の全高を低くすることができる。
【００１９】
図５は、そのように構成された本発明付設天板の高さ調整装置１０’を示している。この装置１０’において、固定筒４５’以外は、前記実施態様に関連して説明した装置と同じに構成されている。しかし、固定筒４５’は、操作軸４１の雄ねじ４６を隠す筒部のない構成、例えば雌ねじ４６に対応した高さを有する、什器本体２０のデスク天板２４からの高ｈさが低い構成となっている。
【００２０】
この付設天板の高さ調整装置１０’も、操作軸４１の操作部４１Ａを手で掴んでこの軸４１を正方向又は逆方向に回転させることで、雄ねじ４２および雌ねじ４６の作用によって操作軸４１を上下させ、天板３０がデスク天板と同一平面になったところで、操作軸４１の回転を止めることで、天板３０の高さを調整することができる。天板３０の最高上昇位置は、抜け止め部材５１によってのみ規制されるため、固定筒４５’の高さｈが低くても、天板３０が什器本体２０から外れない。そこで、付設天板の高さ調整装置１０’の全高Ｈを低くすることができ、その分、什器本体２０の高さを大きくすることができるため、什器本体２０のサイズあるいは収容量を大きくすることができる。
【００２１】
図６は本発明付設天板の高さ調整装置のさらに他の実施形態を示している。什器本体２０は、他の実施形態と同じに、サイドキャビネットとして構成されている。このサイドキャビネット２０をデスクの右側に配置するときには、仕切り棚の見える側を前にして、右側半分をデスク天板の下に、左側半分をデスクから出して配置し、出した部分の端部にある取付孔および中間にある取付孔に、本発明による付設天板の高さ調整装置１００を組み付け、各付設天板の高さ調整装置１００によって、天板３０をサイドキャビネット２０に支持させている。
【００２２】
付設天板の高さ調整装置自体は操作軸１４１および固定筒１４５を備えている。
【００２３】
操作軸１４１は、上方が細く、下方が太い径に形成された軸部材からなっており、細径からなる上方部分に雄ねじ１４２を形成されている。操作軸１４１は、什器本体２０の上面に回転可能に立設されている。すなわち、操作軸１４１は、その下方が、什器本体２０の取付孔２６，２７に、例えば取付孔２７に嵌め込まれ、下端に合成樹脂の座金状をなす滑り輪１４４および止め輪１４８が嵌合され、これらによってデスク天板２４に回転可能に取り付けられている。
【００２４】
固定筒１４５は、両端を開放された中空筒状のもので、上下に内径の異なる孔を形成されている。雌ねじ１４６は、小内径の孔部分における大内径の孔部分との接続部から下方に向かって形成されている。
【００２５】
この固定筒１４５は、天板３０の下面に垂下固定されている。つまり、固定筒１４５は、その上端が、天板３０の補強板３２にある孔に嵌合され、かつ、補強板３２および天板本体３１に固定されている。固定筒１４５の雌ねじ１４６には操作軸１４１の雄ねじ１４２がねじ込まれている。操作軸１４１は、固定筒１４５に雌ねじ１４６と同軸に連続して形成された中空孔からなる受止め部１４６Ａ内に配置され、軸端部１４３にある環状溝に嵌め込まれた座金状の抜け止め部材１５１によって、固定筒１４５からの抜け出しを阻止されている。
【００２６】
この付設天板の高さ調整装置１００を備えるサイドキャビネットは、前述のように、天板３０をデスク天板から外に出し、反対側をデスク天板の下に押し込むことで、デスクに対して直角配置される。それから、本発明付設天板の高さ調整装置１００によって、天板３０とデスク天板とが面一にされる。すなわち、操作軸１４１の操作部１４５を手で掴んで回転し、雄ねじ１４２および雌ねじ１４６の作用によって操作軸１４１を上下させ、天板３０がデスク天板と同一平面上になったところで操作軸１４１の回転を止めることで、天板３０をデスク天板に対して合わせる。図７は天板３０を最高上昇位置まで上げた状態を示している。
【００２７】
この付設天板の高さ調整装装置１００も、操作軸１４１は長く、しかも固定筒１４５は回転しないので、操作軸１４１を手探りでも簡単に見つけることができ、最高上昇位置になっても、操作軸１４１の上昇が抜け止め部材１５１によって規制されるので、天板３０が什器本体２０から外れず、負傷事故などのおそれのない、安全なものである。
【００２８】
以上説明した実施態様において、什器本体は、内部に仕切り棚２２のみを備えるサイドキャビネットであるが、可動仕切り棚および引き出しをもつサイドキャビネットなど他の形態に形成してもよい。さらに、什器本体は、一つのものからなっているが、二つに分割した複数の構造物で構成し、取付孔を一方の什器本体（構造物）の上面および他方の什器本体（構造物）に設けて、付設天板および本発明付設天板の高さ調整装置によってこれらを架橋連結するなどしてもよい。さらにまた、操作軸は、その下半分、又は、上半分に雄ねじを含み、固定筒に挿入される小径部を具備し、該小径部より上方、又は、下方は、固定筒の外径と同径に形成して、外観スタイルを美麗にし、確実な動作を行うようにしているが、他の形態に形成してもよい。
【図面の簡単な説明】
【００２９】
【図１】本発明付設天板の高さ調整装置を備える什器の斜視図。
【図２】本発明付設天板の高さ調整装置の一実施形態を示す縦断面図。
【図３】図２に示す本発明付設天板の高さ調整装置の分解斜視図。
【図４】図２および図３に示す本発明付設天板の高さ調整装置の作動状態を示す縦断面図。
【図５】本発明付設天板の高さ調整装置の他の実施形態を示す縦断面図。
【図６】図５に示す本発明付設天板の高さ調整装置の作動状態を示す縦断面図。
【図７】本発明付設天板の高さ調整装置のさらに他の実施形態を示す縦断面図。
【符号の説明】
【００３０】
１０，１００  天板の高さ調整装置
１０’        天板の高さ調整装置
２０          什器本体
２１          筐体
２２          仕切り棚
２３          スリット
２４          什器本体の天板
２５〜２７    取付孔
３０          付設天板
３１          付設天板の本体
３２          補強板
３３          穴
４１，１４１  操作軸
４２，１４２  雄ねじ
４３，１４３  軸端部
４４，１４４  滑り輪
４５，１４５  固定筒
４５’        固定筒
４６，１４６  雌ねじ
１４６Ａ      受止め部
４８,１４８  取付具
４９          開口
５１，１５１  抜け止め部材
５２          軸部
【図１】
2008237320.tif 000003
【図２】
2008237320.tif 000004
【図３】
2008237320.tif 000005
【図４】
2008237320.tif 000006
【図５】
2008237320.tif 000007
【図６】
2008237320.tif 000008
【図７】
2008237320.tif 000009